(57)【要約】【課題】  装置前面からの挿抜を可能としつつ、多数のユニットを実装できる電子装置等を提供する。【解決手段】  本発明の電子装置は、複数のユニットを対向する２方向から挿抜可能なケージと、前面が開いた装置筐体と前記ケージとをスライド自在に接続するレールと、ケージに収容された背反するユニットの間に設けられ、ケージをレールに対して回転自在に接続する回転軸であるシャフトとを備える。【選択図】      図１
2015115536.tif 000002
【特許請求の範囲】
【請求項１】
電子デバイスを含む複数のユニットと、
前記ユニットを対向する２方向から挿抜可能なケージと、
前面が開いた装置筐体と前記ケージとをスライド自在に接続するレールと、
前記ケージに収容された背反するユニットの間に設けられ、前記ケージを前記レールに対して回転自在に接続する回転軸であるシャフトと
を備える電子装置。
【請求項２】
前記装置筐体は、
装置上面に設けられた天板と、
互いに向かい合った一対の装置側面に平行して設けられた側板と、
装置底面に設けられた底板と、装置背面に設けられたバックパネルとを有し、
前記レールは、
前記装置筐体の開口部に一端を接するように、前記天板と前記底板とに対して、それぞれ１本ずつが固定されるアウターレールと、
前記シャフトを支持することができる差込口が設けられたインナーレールと
を有し、
前記シャフトは、前記ケージを貫通して、前記差込口に差し込まれることによって、前記ケージが前記インナーレールと回動可能に接続され、
前記装置筐体と前記ケージとをスライド自在に接続するように、前記アウターレールと前記インナーレールを咬み合わせる
請求項１記載の電子装置。
【請求項３】
前記筐体のいずれかの場所に固定される本体基板と、
前記シャフトを挟んで、前記装置筐体の前面方向と背面方向とに対向して設けられ、ケージに固定されるユニット基板とを有し、
前記ユニット基板と前記本体基板とを、前記アウターレールと前記インナーレールとの間の空間を通して配線されたケーブルによって接続し、
前記ケージに前記ユニットを実装する際に、前記ユニットと前記ユニット基板とを接続する
請求項２記載の電子装置。
【請求項４】
２つの前記ケージと、前記２つのケージにそれぞれ対応する２つの前記シャフトを有し、
前記インナーレールは、前記２つのケージを重複せずに並列可能な間隔を空けて設けた２つの前記差込口を有し、
前記２つのシャフトは、対応する前記ケージを貫通して、前記２つの差込口に１つずつ差し込まれることによって、前記２つのケージが前記インナーレールとそれぞれ回動可能に接続され、
前記アウターレールと前記インナーレールとの間にさらに設けるサブインナーレールを有し、
前記インナーレールに接続された２つのケージの間に設けられ、前記インナーレールを貫通して、前記サブインナーレールに設けられた差込口に差し込まれることによって、前記インナーレールと前記サブインナーレールとを回動可能に接続する回転軸であるサブシャフトを有し、
前記アウターレールは、前記装置筐体と前記インナーレールとをスライド自在に接続するように、前記インナーレールに替えて前記サブインナーレールと咬み合わされる
請求項２または３記載の電子装置。
【請求項５】
複数のユニットを対向する２方向から挿抜可能なケージと、
前面が開いた装置筐体と前記ケージとをスライド自在に接続するレールと、
前記ケージに収容された背反するユニットの間に設けられ、前記ケージを前記レールに対して回転自在に接続する回転軸であるシャフトと
を備えるユニット実装構造。
【発明の詳細な説明】
【技術分野】
【０００１】
本発明は、複数のユニットを実装する電子装置に関する。
【背景技術】
【０００２】
近年、電子装置の高密度実装化の需要が高まるに伴い、装置１台あたりに実装することが必要なハードディスク（Ｈａｒｄ  Ｄｉｓｋ  Ｄｒｉｖｅ、ＨＤＤ）の台数も増加している。また、ＨＤＤの実装にあたっては、装置の前面からホットスワップ（活栓挿抜）が、可能であることも求められる。
【０００３】
装置前面からのホットスワップを考慮しながら、多数台のＨＤＤを実装する構造として、図８に示す構造が知られている。図８は、複数のＨＤＤ５３０を実装した装置の構造の一例である。図８において、（ａ）はその上面図、（ｂ）は前面図、（ｃ）は側面図および（ｄ）は斜視図である。なお、前面は、ＨＤＤ５３０の挿抜作業を実施する作業者が位置する面であるものとする。この装置は、図８（ｄ）に示すように、装置の筐体５２０の奥行方向をＹ方向、および幅方向をＸ方向とすると、Ｘ、Ｙ方向にＨＤＤ５３０を複数台並べて実装する構造である。具体的に、図８（ａ）、（ｄ）に示す通り、筐体５２０は、奥行方向に６台、および幅方向に３台、すなわち、合計１８台のＨＤＤ５３０を収納する例である。１８台のＨＤＤ５３０は、筐体５２０の中の図示しないＨＤＤケージに収納されている。
【０００４】
図８に示す構造では、作業者が、複数のＨＤＤ５３０を収納したＨＤＤケージごと筐体５２０の前面に引き出すことにより、各ＨＤＤ５３０を上方（図８に示す太い矢印の方向およびＺ方向）に抜き差し可能である。このようにして、図８に示す構造において、奥行方向の２列目以降に実装されたＨＤＤ５３０に対しても、ホットスワップが可能である。
【０００５】
また、関連技術として、特許文献１には、少なくとも３つの保守面を有するユニットを格納する装置が開示されている。この特許文献１に記載された装置は、４本の支柱を含む筐体の中に、電子機器のユニットが格納されている。ユニットの外側は、その重心を通る回転軸を中心として、ユニットを回転支持するとともに外側に軸受けを有する、フレームを備える。ユニットは、フレームの中で回転軸を中心として回転自在に軸支されている。このフレームは、筐体の中に実装されたスライドレ−ルを介して、装置筐体の１方向に出し入れ自由である。すなわち、ユニットは、フレームごと筐体の１方向に引き出され、引き出された状態で回動自在となる。これにより、装置の保守面を増やすことなく、保守員は、装置の１方向から、ユニットの各保守面に対する保守を行うことが可能となる。ユニットは、複数のマザーボードおよび配線基板などが組み合わされた構造である。
【０００６】
また、特許文献２には、ＨＤＤを集約して実装するスペースを筐体内に備えるブレードサーバのＨＤＤ実装方法が開示されている。この特許文献２に記載されたブレードサーバは、ＨＤＤ搭載スペースに設置された円状のレール上にＨＤＤを搭載する。ＨＤＤは、レール上をスライドして移動可能であり、任意のＨＤＤを筐体前面の開口部に移動することができる。これにより、このブレードサーバは、複数のＨＤＤを搭載しつつ、筐体前面からのＨＤＤの交換を実現している。
【先行技術文献】
【特許文献】
【０００７】
【特許文献１】特開２００５−２７７０８６号公報
【特許文献２】特開２００８−００３７３７号公報
【発明の概要】
【発明が解決しようとする課題】
【０００８】
しかしながら、図８に示す構造、特許文献１および特許文献２に開示された技術においては、ＨＤＤの実装台数が制限されるという問題がある。
【０００９】
すなわち、図８に示す構造においては、高さ（Ｚ）方向に２台以上のＨＤＤ５３０を並べると、ＨＤＤ５３０が抜き出せないので、高さ（Ｚ）方向にはＨＤＤ５３０を１台しか実装できないという制限がある。
【００１０】
また、特許文献１に開示された技術において、ユニットに複数のＨＤＤが収納されるとしても、ホットスワップを可能とするには、ＨＤＤは、ユニットの各保守面に並べて実装される必要がある。したがって、ＨＤＤの台数は、保守面の面積に制限される。また、フレームの中でユニットが回転するための余地を設ける必要があるので、フレームの体積の割には、搭載できるＨＤＤの台数が制限されてしまう。
【００１１】
また、特許文献２に開示された技術においても、レール３０１が円状であるので、実装できるＨＤＤの台数は、装置の奥行方向の長さに収容できる台数の２倍と、若干数を加えた台数に制限される。
【００１２】
本発明の一つの目的は、活線挿抜可能な複数台のＨＤＤ等の電子デバイスを含むユニットをサーバ等の電子装置に実装する際に、装置前面からの挿抜を可能としつつ、多数のユニットを実装できる電子装置およびユニット実装構造を提供することにある。
【課題を解決するための手段】
【００１３】
上記の目的を達成すべく、本発明に係る電子装置は、以下の構成を備えることを特徴とする。
【００１４】
すなわち、本発明に係る電子装置は、複数のユニットを対向する２方向から挿抜可能なケージと、前面が開いた装置筐体と前記ケージとをスライド自在に接続するレールと、前記ケージに収容された背反するユニットの間に設けられ、前記ケージを前記レールに対して回転自在に接続する回転軸であるシャフトとを備える。
【００１５】
また、上記の同目的を達成すべく、本発明に係るユニット実装構造は、複数のユニットを対向する２方向から挿抜可能なケージと、前面が開いた装置筐体と前記ケージとをスライド自在に接続するレールと、前記ケージに収容された背反するユニットの間に設けられ、前記ケージを前記レールに対して回転自在に接続する回転軸であるシャフトとを備える。
【発明の効果】
【００１６】
本発明には、装置前面からの挿抜を可能としつつ、多数のユニットを実装できるという効果がある。
【図面の簡単な説明】
【００１７】
【図１】本発明の第１の実施形態に係る電子装置の構造を概略的に示す透視斜視図である。
【図２】第１の実施形態に係る電子装置におけるレール６の構造を概略的に示す図である。
【図３】第１の実施形態に係る電子装置の筐体２０からＨＤＤケージ２１を引き出し、完全に分離させた状態における電子装置の構造を概略的に示す透視斜視図である。
【図４】第１の実施形態に係る電子装置がＨＤＤを実装した場合の様子を示す透視斜視図である。
【図５】第１の実施形態に係る電子装置がＨＤＤを実装した場合の様子を示す図である。
【図６】第１の実施形態に係る電子装置の筐体２０からＨＤＤケージ２１を引き出し、回転させる様子を示す図である。
【図７】第２の実施形態に係る電子装置の構造を概略的に示す透視側面図である。
【図８】複数のＨＤＤ５３０を実装した装置の構造の一例である。
【発明を実施するための形態】
【００１８】
次に、本発明の実施形態について図面を参照して詳細に説明する。なお、以下の実施形態において、搭載するユニットとしてＨＤＤを一例として記載する。しかし、本発明の実施形態において、搭載可能なユニットはＨＤＤに限られない。
【００１９】
＜第１の実施形態＞
図１は、本発明の第１の実施形態に係る電子装置の構造を概略的に示す透視斜視図である。図１を参照すると、本実施形態は、電子装置の外枠本体部分である筐体２０、ＨＤＤケージ２１、本体基板５、レール６、回転軸であるシャフト７、およびＨＤＤ基板（ユニット基板）９を有する。
【００２０】
筐体２０は、電子装置の前面が開いた箱型の構造である。図３は、第１の実施形態に係る電子装置の筐体２０からＨＤＤケージ２１を引き出し、完全に分離させた状態における電子装置の構造を概略的に示す透視斜視図である。図３を参照すると、筐体２０は、装置上面に設けられた天板１、装置側面に設けられた側板２、装置底面に設けられた底板３、および装置背面に設けられたバックパネル４を有する。なお、側板２は、互いに向かい合った一対の装置側面に平行して設けられる。
【００２１】
ＨＤＤケージ２１は、複数のＨＤＤ（ユニット）を実装（収容）可能である。また、ＨＤＤケージ２１自体は、筐体２０に収容される。また、ＨＤＤケージ２１は、装置上面に設けられたレール６と、それと対向して装置底面に設けられたレール６とによって、筐体２０と接続される。
【００２２】
図１に示すように、ＨＤＤケージ２１は、レール６を介して筐体２０に接続される。
【００２３】
さらに図２を参照して、ＨＤＤケージ２１と筐体２０との間を接続する構造の詳細を説明する。図２は、レール６の構造を概略的に示す図である。図２（ａ）は斜視図である。図２（ｂ）は、（ａ）のＡ−Ａ´拡大断面図である。図２を参照すると、レール６は、アウターレール１０と、インナーレール１１とを有するスライドレールである。アウターレール１０は、筐体２０の開口部に一端を接するように、天板１と底板３のそれぞれの内面に、１本ずつが固定される。インナーレール１１は、ＨＤＤケージ２１の上面と底面とにそれぞれ１本ずつが接続される。このうち、ＨＤＤケージ２１の上面側のアウターレール１０とインナーレール１１との間には、図２（ｂ）に示すように、後述するＨＤＤ基板９と本体基板５とを接続するためのケーブル１２が配置される。
【００２４】
図１および図３に示すように、ＨＤＤケージ２１の上面側および底面側のインナーレール１１には、筒状のシャフト７を支持することができる差込口８が設けられる。差込口８の形状は、単なる穴でも、インナーレール１１の長さ方向に直交する筒状部材でもよい。シャフト７は、ＨＤＤケージ２１を貫通して、インナーレール１１に設けられた差込口８に差し込まれ固定されることにより、差込口８を介してインナーレール１１に固定される。すなわち、筒状であるシャフト７の両端にある開口部は、差込口８に対して、ずれないように固定される。シャフト７は、差込口８からシャフト７の内部へケーブル１２を通すことが可能である。シャフト７の内部には、ケーブル１２を通すのに必要な空間が確保されていればよい。なお、ＨＤＤケージ２１の底面側のインナーレール１１とシャフト７とは、互いに結合していればよい。なお、ケーブル１２は、筐体２０およびＨＤＤケージ２１の底面側のレール６に沿って配線されてもよい。
【００２５】
ＨＤＤケージ２１と筐体２０との間は、ＨＤＤケージ２１の上面と、対向する底面とに固定された２本のインナーレール１１と、筐体２０の開口部に接して天板１と底板３とに固定された２本のアウターレール１０とを咬み合わせることにより、接続される。
【００２６】
インナーレール１１は、アウターレール１０に咬み合わせた状態において、アウターレール１０の長手方向にスライド可能である。すなわち、ＨＤＤケージ２１は、レール６の案内によって、筐体２０の前面に引き出される。さらに、引き出されたＨＤＤケージ２１は、シャフト７を中心に１８０度以上回動（回転）可能である。ＨＤＤケージ２１は、シャフト７に対して回転可能に結合する。
【００２７】
ＨＤＤ基板９は、シャフト７を挟んで、図１に示す電子装置の前面方向と背面方向とに対向して設けられ、ＨＤＤケージ２１に固定されている。ＨＤＤケージ２１にＨＤＤが実装される際には、ＨＤＤは、図示しないコネクタ等を介して、ＨＤＤ基板９に接続される。図３に示すように、ＨＤＤ基板９は、ケーブル１２によって、本体基板５と接続される。ＨＤＤ基板９からシャフト７の内部にケーブルを通すために、シャフト７の側面には複数の穴が形成されていることが望ましい。本体基板５は、筐体２０の何れかの場所に固定される。本実施形態において、本体基板５は、一例として、側板２に固定される。なお、本体基板５は、一つとは限らない。ＨＤＤケージ２１に実装されるＨＤＤは、ＨＤＤ基板９を介して、本体基板５と電気的に接続されることにより、本実施形態の電子装置を利用するサーバ等から利用可能となる。
【００２８】
前述したようにケーブル１２は、レール６を伝って配線される。図２（ｂ）に詳細に示すように、ケーブル１２は、アウターレール１０とインナーレール１１との間の空間を通すことができる。すなわち、ケーブル１２の一端は、本体基板５に接続され、さらに、アウターレール１０とインナーレール１１との間を通って、ＨＤＤケージ２１の上部を渡される。そして、ケーブル１２の他端は、差込口８からシャフト７内部を通され、さらに、シャフト７に開けられた２つの穴を介して、シャフト７の外に導かれる。ケーブル２１の２つに分岐した他端は、シャフト７の外において、それぞれＨＤＤ基板９と接続される。
【００２９】
次に、上述した構成を備える本実施形態の動作について詳細に説明する。
【００３０】
以下においては、図４および図５に示すように、ＨＤＤを実装した場合を一例として、動作を説明する。図４は、第１の実施形態に係る電子装置がＨＤＤを実装した場合の様子を示す透視斜視図である。図５は、第１の実施形態に係る電子装置がＨＤＤを実装した場合の様子を示す図である。図４および図５において、実装されたＨＤＤの様子をわかりやすくするために、ＨＤＤケージ２１、およびレール６等のＨＤＤ以外の部品は、省略されている。図４および図５に示すように、筐体２０（すなわち、その内部に収納されたＨＤＤケージ２１）は、複数のＨＤＤ３０を実装することができる。図４および図５において、ＨＤＤケージ２１は、装置幅（Ｘ）方向に３列、装置奥行（Ｙ）方向に２列、および、装置高さ（Ｚ）方向に３列の、合計１８台のＨＤＤ３０を実装している。装置前面に面するＨＤＤ３０は、ＨＤＤケージ２１を引き出さずに、ＨＤＤ３０を直接装置前方からホットスワップが可能である。
【００３１】
以下に、図６を参照して、装置後方に配置された（後列の）ＨＤＤ２１０をホットスワップする際の本実施形態の動作を説明する。図６（ａ）乃至（ｃ）は、それぞれ第１の実施形態に係る電子装置の筐体２０からＨＤＤケージ２１を引き出し、回転させる様子を示す図である。図６において、ＨＤＤ２１０は、後列のＨＤＤを示す。
【００３２】
まず、図６（ａ）に示すように、ＨＤＤケージ２１を収納した状態２００において、後列のＨＤＤ２１０は、挿抜不可能な状態である。
【００３３】
次に、ＨＤＤ２１０をホットスワップしようとする作業者は、ＨＤＤケージ２１を筐体２０から前方に引き出し、ＨＤＤケージ２１を回転させる（図６（ｂ）はＨＤＤケージ２１を引き出して９０度回転した状態）。
【００３４】
図６（ｂ）の状態から、さらにＨＤＤケージ２１を９０度回転させた後、作業者は、ＨＤＤケージ２１を押し戻すことにより、筐体２０に収容する（図６（ｃ）はＨＤＤケージ２１を反転した状態）。この結果、図６（ａ）の状態では後列に配置されていたＨＤＤ２１０は、電子装置前面に面する位置に入れ替わる。作業者が、反転したＨＤＤケージ２１を押し込めば、レール６の案内により、反転したＨＤＤケージ２１を筐体２０に再び収容可能である。このようにして、作業者は、ＨＤＤ２１を装置前面から挿抜可能となる。また、ＨＤＤ２１０の収納位置も変えることができる。
【００３５】
なお、ＨＤＤケージ２１は、必要以上に回転されると、ケーブル１２が差込口８の付近で捩じれることになるので、捩じれ作用に対する許容範囲内で回転制限（たとえば、回転角度を１８０度以内に制限するなど）をかけてもよい。
【００３６】
以上説明したように、本実施形態によれば、装置前面からの挿抜を可能としつつ、多数のユニット（ＨＤＤ）を実装することができる電子装置を提供することができるという効果がある。
【００３７】
なぜなら、本発明の実施形態における電子装置は、複数のユニットを対向する２方向から挿抜可能なケージと、前面が開いた装置筐体と前記ケージとをスライド自在に接続するレールと、ケージに収容された背反するユニットの間に設けられ、ケージとレールとを回転自在に接続する回転軸であるシャフトとを備えるからである。
【００３８】
また、本実施形態によれば、上記構成により、装置後方にまとまった空きスペースが確保できるという効果も得られる。この結果、電子装置におけるＨＤＤを実装する領域以外のスペースを有効に活用できるという効果が期待できる。
【００３９】
図８に示すＨＤＤの実装構造を具体例として、この理由を説明する。図８に示す電子装置においても、本実施形態の図５と同数のＨＤＤ３０が実装されている。上述した通り、図８に示す電子装置においては、高さ（Ｚ）方向に２台以上のＨＤＤ５３０を並べると、ＨＤＤ５３０が抜き出せない。したがって、図８におけるデッドスペース６００として示したスペースは、何も実装することはできない。また、図８におけるＨＤＤ５３０より下方および装置後方の空きスペースは、ＤＡＣ（Ｄｉｓｋ  Ａｒｒａｙ  Ｃｏｎｔｒｏｌｌｅｒ）や基板等のＨＤＤ以外の実装物を実装するには不十分であることも少なくない。しかし、図５（ａ）および図５（ｃ）に示すように、本実施形態においては、図８に示す構造に比べて、装置後方により大きな空きスペースが確保できるので、上述したＨＤＤ以外の実装物を実装可能となることが期待できる。
【００４０】
また、本実施形態によれば、ＨＤＤケージ２１の引き出し量も少なく済むという効果もある。すなわち、図５に示す本実施形態は、図８に示す電子装置に比べて、ＨＤＤケージ２１の奥行（Ｙ）方向の長さが短いので、ＨＤＤケージ２１の引き出し量を少なくすることができる。この結果、本実施形態においては、レール６の強度確保が、図８に示す電子装置に比べて、容易である。
【００４１】
なお、本実施形態において、ＨＤＤケージ２１を支えるレール６を２本使用しているが、レールの強度を確保すれば、いずれか１本のレール６によって実施することも可能である。
【００４２】
また、本実施形態においては、図６に示すように、ＨＤＤケージ２１を横回転させているが、装置を９０度回転させて配置した場合であれば、縦回転としても利用可能である。
【００４３】
また、図４乃至図６において、実装可能なＨＤＤの台数は１８台としているが、この限りではない。実装可能なＨＤＤの台数は、筐体２０のサイズ、およびＨＤＤ３０のサイズによって異なる。
【００４４】
＜第２の実施形態＞
次に、上述した第１の実施形態を基本とする第２の実施形態について説明する。以下では、第２の実施形態に係る特徴的な部分を中心に説明し、第１の実施形態と同様な構成を有する第２の実施形態の構成要素には、第１の実施形態で付した参照符号と同一の参照符号を付し、その構成要素について重複する詳細な説明は省略する。
【００４５】
本実施形態では、第１の実施形態におけるＨＤＤケージ２１を複数有し、その複数のＨＤＤケージ２１を回動可能とする機構が追加されている点が、第１の実施形態と異なる。すなわち、本実施形態は、第１の実施形態におけるＨＤＤの実装領域を増設する構造である。
【００４６】
以下に、本実施形態について、図７を参照して詳細に説明する。図７は、第２の実施形態に係る電子装置の構造を概略的に示す透視側面図である。なお、図７は、実装可能な台数のＨＤＤ３０を実装した状態を示している。図７を参照すると、本実施形態は、電子装置本体である筐体３００、シャフト７Ａ、シャフト７Ｂ、ＨＤＤケージ２１Ａ、ＨＤＤケージ２１Ｂ、アウターレール３０１、サブインナーレール３０２、インナーレール３０３および、サブシャフト３１０を有する。
【００４７】
アウターレール３０１、サブインナーレール３０２、インナーレール３０３および、サブシャフト３１０以外の上述した部品は、第１の実施形態における相当する各部と同様の構造である。すなわち、筐体３００は、第１の実施形態における筐体２０に相当する。シャフト７Ａ、およびシャフト７Ｂは、第１の実施形態におけるシャフト７に相当する。ＨＤＤケージ２１Ａ、およびＨＤＤケージ２１Ｂは、第１の実施形態におけるＨＤＤケージ２１に相当する。これらの部品の構造は、筐体３００、ＨＤＤケージ２１Ａ、およびＨＤＤケージ２１Ｂに係る基板およびケーブル等の図示しない詳細構造も含めて、第１の実施形態における相当する部品と同様であるので、重複する詳細な説明は省略する。
【００４８】
本実施形態におけるＨＤＤケージ２１Ａおよび２１Ｂは、概略、第１の実施形態におけるアウターレール１０とインナーレール１１とに対応する各レールの間に、新たにサブインナーレール３０２を追加した構造のスライドレールにより、筐体３００と接続される。なお、以下の説明において、これらのレールは、第１の実施形態と同様に、ＨＤＤケージ２１Ａおよび２１Ｂ、並びに筐体３００の上面と底面にそれぞれ１本ずつ設けられる。
【００４９】
インナーレール３０３は、第１の実施形態におけるインナーレール１１に対応する。インナーレール３０３には、シャフト７Ａを支持することができる差込口（図示しない）と、シャフト７Ｂを支持することができる差込口（図示しない）とが、ＨＤＤケージ２１ＡおよびＨＤＤケージ２１Ｂを重複せずに並列可能な間隔を空けて設けられる。ＨＤＤケージ２１Ａおよび２１Ｂは、それぞれシャフト７Ａおよび７Ｂを中心に１８０度以上回動可能な状態で、インナーレール３０３と接続される。ＨＤＤケージ２１Ａおよび２１Ｂと、インナーレール３０３とを接続する方法は、第１の実施形態と同様であるので、重複する詳細な説明は省略する。
【００５０】
インナーレール３０３は、新たに追加される部品であるサブシャフト３１０によって、サブインナーレール３０２に接続される。インナーレール３０３とサブインナーレール３０２との接続方法は、第１の実施形態におけるＨＤＤケージ２１とインナーレール１１との接続方法と同様である。すなわち、サブインナーレール３０２には、筒状のサブシャフト３１０を支持することができる差込口（図示しない）が設けられる。筒状であるサブシャフト３１０の両端にある開口部は、当該差込口に対して、ずれないように固定される。第１の実施形態におけるシャフト７と同様に、サブシャフト３１０も、その内部へ図示しないケーブルを通すことが可能である。すなわち、本実施形態において、筐体３００から出るケーブルは、サブインナーレール３０２の上面、サブシャフト３１０の内部、インナーレール３０３の上面、および、シャフト７Ａまたはシャフト７Ｂを経由して、図示しないＨＤＤ基板まで配線される。なお、第１の実施形態と同様に、ケーブルは、筐体３００、ＨＤＤケージ２１Ａおよび２１Ｂの底面側に配線されてもよい。
【００５１】
サブシャフト３１０は、インナーレール３０３を貫通して、サブインナーレール３０２に設けられた差込口８に差し込まれ、差込口８によって保持される。このとき、サブシャフト３１０は、インナーレール３０３に接続されたＨＤＤケージ２１Ａと、ＨＤＤケージ２１Ｂとの間に配置される。このようにして、インナーレール３０３は、サブシャフト３１０を中心に１８０度以上回動可能な状態で、サブインナーレール３０２と接続される。
【００５２】
アウターレール３０１は、第１の実施形態におけるアウターレール１０に対応する。アウターレール３０１は、サブインナーレール３０２と咬み合わせられる点が、第１の実施形態と異なる。サブインナーレール３０２は、アウターレール３０１に咬み合わせた状態において、アウターレール３０１の長手方向にスライド可能である。すなわち、インナーレール３０３と、ＨＤＤケージ２１Ａおよび２１Ｂは、サブインナーレール３０２と共に、筐体３００の前面に引き出される。
【００５３】
このような構成により、インナーレール３０３に接続されたＨＤＤケージ２１Ａおよび２１Ｂは、インナーレール３０３と共に回転することにより、装置に対する前後の配置を入れ替えることが可能となる。すなわち、図７において装置後方に配置されるＨＤＤケージ２１Ｂは、インナーレール３０３を１８０度回転することにより、装置前面に移動可能である。また、ＨＤＤケージ２１Ａおよび２１Ｂは、第１の実施形態と同様に、それぞれが回動可能であるので、後列のＨＤＤ３０を装置前面に出すことができる。このようにして、本実施形態に係る電子装置に実装されたすべてのＨＤＤ３０が、装置前方からホットスワップ可能な状態になる。
【００５４】
なお、本実施形態においてＨＤＤケージを２つ実装したが、サブインナーレール３０２とサブシャフト３１０とを同様に追加すれば、さらに多くのＨＤＤケージを実装することが可能である。
【００５５】
以上説明した第１の実施形態におけるシャフト７と、第２の実施形態における７Ａ、７Ｂ、３１０は、それぞれ２つのインナーレール１１の間あるいは２つのサブインナーレール３０２の間を貫通して固定されている。しかしながら、各シャフトは必ずしも貫通させる必要はない。各シャフトは、ケーブル１２を通し、ＨＤＤケージを回転させることができる構成であれば、少なくともＨＤＤケージ２１、２１Ａの上面及び底面付近だけに設けられていてもよい。
【００５６】
また、電子装置に実装されるユニットは、ＨＤＤに限らず他の電子部品、電子デバイスでもよい。
【符号の説明】
【００５７】
１    天板
２    側板
３    底板
４    バックパネル
５    本体基板
６    レール
７、７Ａ，７Ｂ    シャフト（回転軸）
８    差込口
９    ＨＤＤ基板（ユニット基板）
１０、３０１    アウターレール
１１、３０３    インナーレール
１２    ケーブル
２０、３００    筐体
２１、２１Ａ、２１Ｂ    ＨＤＤケージ
３０    ＨＤＤ
３０２    サブインナーレール
３１０    サブシャフト
５２０    筐体
５３０    ＨＤＤ
６００    デッドスペース
【図１】
2015115536.tif 000003
【図２】
2015115536.tif 000004
【図３】
2015115536.tif 000005
【図４】
2015115536.tif 000006
【図５】
2015115536.tif 000007
【図６】
2015115536.tif 000008
【図７】
2015115536.tif 000009
【図８】
2015115536.tif 000010